(57)【要約】【課題】縦枠に対する横枠の取り付け及び取り外しの作業を容易にし、縦枠から横枠が不用意に脱落することを防止可能とすること。【解決手段】折り畳み寝台は、一対の縦枠２（３）と、両縦枠２（３）に取り付けられる複数の脚と、両縦枠２（３）に両側が取り付けられた床布と、床布の前後に組み付けられる横枠８（９）とを備え、横枠８（９）が縦枠２（３）の両端に着脱可能に取り付けられる。縦枠２（３）の両端には、上方へ鉤形に曲がるフック２０が設けられる。横枠８（９）には、フック２０に対応する嵌入孔２１が設けられる。嵌入孔２１には、樹脂製ブシュ２２が装着される。フック２０は丸棒状をなし、湾曲した外形を有する。横枠８（９）を床布に組み付け、フック２０にブシュ２２を整合させて、横枠８（９）を回動させることにより、嵌入孔２１及びブシュ２２がフック２０に嵌め入れられる。【選択図】        図９
2004329543.tif 000002
【特許請求の範囲】
【請求項１】
一対の縦枠と、
前記両縦枠に取り付けられ、折り畳み可能に設けられた複数の脚と、
前記両縦枠に両側が取り付けられた床布と、
前記床布の前後両端に着脱可能に組み付けられる横枠と
を備え、前記横枠が前記縦枠の両端に着脱可能に取り付けられる折り畳み寝台であって、
前記縦枠の両端と前記横枠との一方に設けられ、上方へ鉤形に曲がるフックと、
前記縦枠の両端と前記横枠との他方に設けられる嵌入孔と
を備え、前記横枠を前記床布に組み付けた状態で、前記フックに前記嵌入孔を整合させて前記横枠を回動させることにより前記嵌入孔を前記フックに嵌め入れることを特徴とする折り畳み寝台。
【請求項２】
前記嵌入孔にブシュを設けたことを特徴とする請求項１に記載の折り畳み寝台。
【請求項３】
前記フックは、丸棒状をなし、湾曲したことを特徴とする請求項１又は２に記載の折り畳み寝台。
【発明の詳細な説明】
【０００１】
【発明の属する技術分野】
この発明は、不使用時には折り畳み、使用時には展開して組み立てる折り畳み寝台に関する。
【０００２】
【従来の技術】
従来、この種の折り畳み寝台として、例えば、下記の特許文献１及び２に記載された折畳ベッドがある。
【０００３】
特許文献１に記載の折畳ベッドは、一対の縦枠と、両縦枠に両側が取り付けられたシート材と、両縦枠に取り付けられ、折り畳み自在な端脚及び中央脚と、端脚及び中央脚をＸ字状に開いた状態で、両縦枠の両端に脱着自在に係止され、両縦枠の間隔が広がるのを阻止し、更にシート材の端部もこれに係止される横枠とを備える。シート材の両側と前後両端とは、縦枠及び横枠に挿通できる長さだけ端縁を折り返して縫着される。図１１に示すように、縦枠５１の端部には、凸起５２が設けられる。横枠５３の両端部には、凸起５２が嵌着される嵌着孔５４が穿設される。そして、図１１に、矢印▲１▼，▲２▼，▲３▼に示す順序で、横枠５３を変位させながら、縦枠５１の凸起５２に嵌着孔５４を嵌着することにより、横枠５３が縦枠５１の端部に取り付けられる。
【０００４】
特許文献２に記載の折畳ベッドは、一対の縦枠と、両縦枠に支持され、折り畳み自在な複数の脚と、両縦枠に取り付けたシート材と、シート材の前後に取り外し自在に組み付けた横枠とを備える。縦枠と横枠とは、着脱自在なコーナブロックにより連結される。図１２に示すように、コーナブロック５５は、その一端に、横枠５６の中空部に挿入される突部５７が設けられ、その他端に溝５８が設けられる。縦枠５９の一端には、フック部６０を有するキャップコーナブロック６１が固定される。コーナブロック５５の溝５８に対し、キャップコーナブロック６１のフック部６０が着脱自在である。そして、横枠５６を下方へ変位させながらコーナブロック５５の溝５８をキャップコーナブロック６１のフック部６０に嵌め合わせることにより、縦枠５９の端部に横枠５６が取り付けられる。
【０００５】
【特許文献１】
実開昭５５−４３４６６号公報（第１〜４頁，図７）
【特許文献２】
特開平４−７３００８号公報（第１〜３頁，図１〜８）
【０００６】
【発明が解決しようとする課題】
ところが、前記特許文献１に記載の折畳ベッドでは、縦枠５１に対する横枠５３の取付作業が面倒なものとなっていた。即ち、横枠５３には、シート材の端部が係止されることから、作業時にはこのシート材を引っ張りながら横枠５３を変位させる必要があった。この場合、図１１に示すように、先ず、横枠５３を矢印▲１▼に示す方向へ引っ張り、次に、その張力を加えたまま横枠５３を矢印▲２▼に示す方向へ下げ、最後に、横枠５３の嵌着孔５４を縦枠５１の凸起５２に整合させて横枠５３を矢印▲３▼に示す方向へ戻す。この種の折畳ベッドは、使用時の寝心地を確保するために、シート材を十分に張ることが必要となる。このため、シート材の寸法は、縦枠５１と横枠５３が組み付けられた状態の全体寸法に対してほとんど余裕のない大きさに設定されている。このことは、作業時に、横枠５３を変位させるのに多大な力を要求とすることを意味する。従って、作業者は大きな力で引っ張りながら横枠５３を水平及び垂直の方向へ変位させなければならず、難しい作業となっていた。また、この折畳ベッドでは、横枠５３と縦枠５１が、凸起５２と嵌着孔５４との嵌合により取り付けられるだけなので、横枠５３に上または下から力が加わると、嵌着孔５４が凸起５２から抜けて横枠５３が縦枠５１から外れてしまうおそれがあった。
【０００７】
一方、前記特許文献２に記載の折畳ベッドでは、横枠５６を下方へ変位させながら溝５８をフック部６０に嵌め合わせるだけなので、横枠５６の取付作業としては、特許文献１に記載の折畳ベッドに比べて容易なものと考えられる。しかし、その反面、横枠５６に下から力が加わることにより、溝５８がフック部６０から抜けるおそれがあった。このため、横枠５６に不用意に下から力が加わると、横枠５６が縦枠５９から外れてしまうおそれがあった。
【０００８】
この発明は上記事情に鑑みてなされたものであって、その目的は、縦枠に対する横枠の取り付け及び取り外しの作業を容易にし、しかも縦枠から横枠が不用意に脱落することを防止可能とした折り畳み寝台を提供することにある。
【０００９】
【課題を解決するための手段】
上記目的を達成するために、請求項１に記載の発明は、一対の縦枠と、両縦枠に取り付けられ、折り畳み可能に設けられた複数の脚と、両縦枠に両側が取り付けられた床布と、床布の前後両端に着脱可能に組み付けられる横枠とを備え、横枠が縦枠の両端に着脱可能に取り付けられる折り畳み寝台であって、縦枠の両端と横枠との一方に設けられ、上方へ鉤形に曲がるフックと、縦枠の両端と横枠との他方に設けられる嵌入孔とを備え、横枠を床布に組み付けた状態で、フックに嵌入孔を整合させて横枠を回動させることにより嵌入孔をフックに嵌め入れることを趣旨とする。
【００１０】
上記発明の構成によれば、横枠を床布に組み付けた状態で、床布を引っ張りながら、フックに嵌入孔を整合させて横枠を回動させるだけで、嵌入孔がフックに嵌め入れられる。これにより、フックに嵌入孔が係止されて、横枠が縦枠の両端に取り付けられる。ここで、フックが上方へ鉤形に曲がるので、フックに嵌入孔が掛け止まり、横枠に上または下から力が加わっても、嵌入孔がフックから外れることはない。この取り付け状態から、上記と逆方向へ横枠を回動させるだけで、嵌入孔がフックから外される。これにより、フックと嵌入孔が分離されて横枠が縦枠から取り外される。
【００１１】
上記目的を達成するために、請求項２に記載の発明は、請求項１に記載の発明において、嵌入孔にブシュを設けたことを趣旨とする。
【００１２】
上記発明の構成によれば、請求項１に記載の発明の作用に加え、嵌入孔をフックに嵌入するとき、両者の間の摩擦が、ブシュにより低減される。
【００１３】
上記目的を達成するために、請求項３に記載の発明は、請求項１又は２に記載の発明において、フックは、丸棒状をなし、湾曲したことを趣旨とする。
【００１４】
上記発明の構成によれば、請求項１又は２に記載の発明の作用に加え、嵌入孔をフックに嵌入するとき、両者の間の摩擦が、フックの外形により低減される。
【００１５】
【発明の実施の形態】
以下、本発明の折り畳み寝台を具体化した一実施の形態を図面を参照して詳細に説明する。
【００１６】
図１に、折り畳み寝台１の使用状態を平面図に示す。図２に、折り畳み寝台１の使用状態を正面図に示す。図３に、折り畳み寝台１の使用状態を側面図に示す。図４に、図１の右端部を示す。図５に、図４の円の中を拡大して示す（一部破断して示す。）。図６に、図２の円の中を拡大して示す（一部破断して示す。）。
【００１７】
図１，２に示すように、折り畳み寝台１は、一対の縦枠２，３と、両縦枠２，３に取り付けられ、折り畳み自在に設けられた三つの脚４，５，６と、両縦枠２，３に両側が取り付けられた略方形状をなす床布７と、床布７の前後両端に着脱可能に組み付けられた一対をなす横枠８，９とを備える。横枠８，９は、各縦枠２，３の両端に着脱可能に取り付けられる。
【００１８】
各縦枠２，３は、中空状の二本の枠材１０が互いに一端を対向させた状態でＴ形金具１１により連結されることにより構成される。各縦枠２，３のＴ形金具１１には、中脚４の上部が回動可能に連結される。各縦枠２，３の両端部には、Ｌ形金具１２を介して、端脚５，６の上部が回動自在に連結される。これにより、両縦枠２，３の各枠材１０は、中脚４に対して、図２に矢印Ａで示す方向へ回動可能である。また、両端脚５，６は、両縦枠２，３に対して、図２に矢印Ｂで示す方向へ回動可能である。
【００１９】
図３に示すように、端脚５は、支軸１３を中心に互いに回動可能に組み付けられたＳ形金具１４とコ形金具１５とを備える。Ｓ形金具１４には、二本の短脚材１６の一端が連結される。コ形金具１５には、一本の長脚材１７が固定される。このように各脚材１６，１７が、各金具１４，１５によりＸ字状に組まれることにより、端脚５が構成される。端脚５は、Ｘ字状に組まれた各脚材１６，１７を、図３に矢印Ｃで示す方向へ互いに近付けることにより、各脚材１６，１７が支軸１３を中心に回動して、短脚材１６と長脚材１７とが互いに平行状態に畳まれる。他の端脚６及び中脚４の構成は、上記した端脚５のそれと同じである。図３に示すように、端脚５には、こん包用のバンド１８が装着される。
【００２０】
床布７は、合成繊維により厚地に構成される。床布７の両側は、両縦枠２，３に固定される。床布７の両側は、縦枠２，３に挿通できる幅だけ端縁が折り返されて筒状に縫合される。床布７の前後両端は、横枠８，９に挿通できる幅だけ端縁が折り返されて筒状に縫合される。この筒状部７ａに、横枠８，９が挿通される。床布７の寸法は、両縦枠２，３に横枠８，９を組み付けた状態の全体寸法に対してほとんど余裕のない大きさに設定される。
【００２１】
各縦枠２，３の両端には、樹脂製のエンドブロック１９が固定される。図５，６に示すように、エンドブロック１９は、中空状の縦枠２，３の両端に嵌合されて固定される。エンドブロック１９には、フック２０が一体に形成される。図７に、縦枠２の端部を斜視図に示す。フック２０は、上方へ鉤形に曲がる形状をなす。フック２０は、丸棒状をなし、かつ、湾曲した鉤形をなしている。このフック２０に対して、横枠８，９が係止されて取り付けられる。
【００２２】
図８に、両縦枠２，３の一端部と、そこに取り付けられる横枠９を斜視図に示す。図９に、縦枠２（３）のフック２０に対する横枠８（９）の取付構造を一部破断して正面図に示す。図１０に、両縦枠２，３に対する横枠９の取付状態を斜視図に示す。図５，６，９に示すように、中空状の横枠８，９の両端部には、両縦枠２，３のフック２０に整合する位置に嵌入孔２１が設けられる。この嵌入孔２１には、樹脂製のブシュ２２が装着される。
【００２３】
図８，９に示すように、横枠８，９を両縦枠２，３に組み付けるには、両縦枠２，３の両フック２０に、横枠８，９の両嵌入孔２１に装着されたブシュ２２を整合させる。次いで、横枠８，９をフック２０の湾曲面に沿わせながら図９の矢印Ｄに示す方向へ回動させることにより、嵌入孔２１及びブシュ２２がフック２０に嵌め入れられる。これにより、図１０に示すように、両縦枠２，３の一端に横枠８，９が取り付けられる。
【００２４】
ここで、折り畳み寝台１を、図１〜６に示す使用状態から不使用時の格納状態に折り畳むには、まず、両縦枠２，３の両端から横枠８，９を取り外す。このとき、作業者は、床布７と共に横枠８，９を引っ張りながら、横枠８，９をフック２０の湾曲面に沿わせて図９の矢印Ｄとは逆方向へ回動させ、最後に横枠８，９を上方へ引き上げる。次に、床布７の筒状部７ａから横枠８，９を抜き取る。次に、各脚４〜６を折り畳みながら両縦枠２，３を互いに近付ける。次に、各端脚５，６及び縦枠２，３の枠材１０を、それぞれ図２に矢印Ａ，Ｂに示す方向において折り畳む。最後に、バンド１８を使用して折り畳まれた寝台１を格納状態にこん包する。
【００２５】
一方、折り畳み寝台１を、格納状態から図１〜６に示す使用状態にするには、上記折り畳み手順とは逆手順で両縦枠２，３、各脚４〜６及び床布７等を展開し、最後に両縦枠２，３の両端に横枠８，９を取り付ける。横枠８，９を取り付ける手順は、上記した通りである。この寝台１は、使用状態において、床布７の張力により、両横枠８，９が両縦枠２，３の端に位置するエンドブロック１９の端面に引き付けられる。これにより、横枠８，９と縦枠２，３が互いに係合し、横枠８，９の回動が止められ、フック２０からの横枠８，９の抜け方向の動きが規制される。
【００２６】
以上説明したこの実施の形態の折り畳み寝台１によれば、横枠８，９を床布７の筒状部７ａに組み付けた状態で、床布７を引っ張りながらフック２０に嵌入孔２１及びブシュ２２を整合させて横枠８，９を回動させるだけで、嵌入孔２１及びブシュ２２がフック２０に嵌め入れられる。これにより、フック２０に嵌入孔２１及びブシュ２２が係止されて、横枠８，９が両縦枠２，３の両端に取り付けられる。
【００２７】
ここで、フック２０が上方へ鉤形に曲がるので、フック２０に嵌入孔２１及びブシュ２２が掛け止まることになる。従って、横枠８，９に上または下から力が加わっても、嵌入孔２１及びブシュ２２がフック２０から外れることがない。一方、この取り付け状態から、上記と逆方向へ横枠８，９を回動させるだけで、嵌入孔２１及びブシュ２２がフック２０から外れる。これにより、フック２０と嵌入孔２１及びブシュ２２が分離されて、横枠８，９が両縦枠２，３の両端から取り外される。このように本実施の形態の折り畳み寝台１によれば、横枠８，９をフック２０に沿わせて回動するだけで、両縦枠２，３に対する横枠８，９の取り付け及び取り外しの作業を容易に行うことができる。しかも、この取付状態では、床布７の張力が作用して横枠８，９の回動が規制されるので、横枠８，９が両縦枠２，３から不用意に脱落することを防止することができる。
【００２８】
また、この実施の形態では、嵌入孔２１にブシュ２２が装着されるので、嵌入孔２１をフック２０に嵌入するとき、嵌入孔２１をフック２０から外すとき、両者２０，２１の間の摩擦がブシュ２２により低減される。このため、取り付け及び取り外しの作業時に、横枠８，９を円滑に回動させることができる。この意味で、横枠８，９の取り付け及び取り外しの作業性を向上させることができる。
【００２９】
更に、この実施の形態によれば、フック２０は、丸棒状をなし、湾曲した外形をなすので、嵌入孔２１及びブシュ２１をフック２０に嵌入するとき、嵌入孔２１をフック２０から外すとき、両者２０，２２の間の摩擦が、フック２０の外形により更に低減される。このため、取り付け及び取り外しの作業時に、横枠８，９を円滑に回動させることができる。この意味でも、横枠８，９の取り付け及び取り外しの作業性を向上させることができる。
【００３０】
尚、この発明は前記実施の形態に限定されるものではなく、発明の趣旨を逸脱することのない範囲で以下のように実施することもできる。
【００３１】
（１）前記実施の形態では、嵌入孔２１にブシュ２２を装着したが、このブシュ２２を省略することもできる。
【００３２】
（２）前記実施の形態では、フック２０を丸棒状とし、湾曲した外形に形成したが、フックは鉤形であれば角棒状であっても、曲部が湾曲していなくてもよい。
【００３３】
（３）前記実施の形態では、両縦枠２，３の両端にフック２０を設け、横枠８，９の両端部にフック２０に対応する嵌入孔２１を設けた。これに対し、両縦枠の両端に嵌入孔を設け、横枠の両端部に嵌入孔に対応するフックを設けてもよい。
【００３４】
【発明の効果】
請求項１に記載の発明によれば、縦枠に対する横枠の取り付け及び取り外しの作業を容易なものとすることができ、しかも、縦枠からの横枠の不用意な脱落を防止することができる。
【００３５】
請求項２に記載の発明によれば、請求項１に記載の発明の効果に加え、嵌入孔にブシュを設けることで、取り付け及び取り外しの作業時に横枠を円滑に回動させることができ、縦枠に対する横枠の取り付け及び取り外しの作業性を向上させることができる。
【００３６】
請求項３に記載の発明によれば、請求項１又は２に記載の発明の効果に加え、フックを丸棒状とし、湾曲した外形とすることで、取り付け及び取り外しの作業時に横枠を円滑に回動させることができ、縦枠に対する横枠の取り付け及び取り外しの作業性を向上させることができる。
【図面の簡単な説明】
【図１】一実施の形態に係り、寝台の使用状態を示す平面図。
【図２】寝台の使用状態を示す正面図。
【図３】寝台の使用状態を示す側面図。
【図４】図１の右端部を示す平面図。
【図５】図４の円の中を拡大して示す平面図。
【図６】図２の円の中を拡大して示す正面図。
【図７】縦枠の端部等を示す斜視図。
【図８】両縦枠一端部と横枠を示す斜視図。
【図９】縦枠のフックに対する横枠の嵌入孔等の関係を一部破断して示す正面図。
【図１０】両縦枠一端部と横枠を示す斜視図。
【図１１】従来例に係り、縦枠と横枠の取付構造を示す正面図。
【図１２】従来例に係り、縦枠に対する横枠の取付構造を示す斜視図。
【符号の説明】
１    折り畳み寝台
２    縦枠
３    縦枠
４    中脚
５    端脚
６    端脚
７    床布
８    横枠
９    横枠
２０  フック
２１  嵌入孔
２２  ブシュ
【図１】
2004329543.tif 000003
【図２】
2004329543.tif 000004
【図３】
2004329543.tif 000005
【図４】
2004329543.tif 000006
【図５】
2004329543.tif 000007
【図６】
2004329543.tif 000008
【図７】
2004329543.tif 000009
【図８】
2004329543.tif 000010
【図９】
2004329543.tif 000011
【図１０】
2004329543.tif 000012
【図１１】
2004329543.tif 000013
【図１２】
2004329543.tif 000014